(57)【特許請求の範囲】
【請求項１】
線材ガイドから成形領域へ送り出される線材を成形工具に衝合させてコイルばねを成形し切断ツールと心金との協働で前記コイルばねを前記線材から切り離すコイルばね製造機であって、
前記線材ガイドから前記線材を前記成形領域に向かって送り出す線材送り出し手段と、
前記線材ガイドから送り出された前記線材に、前記線材ガイドの線材出口位置よりコイルばね成形方向寄りの位置に設けた前記線材との衝合点で衝合し心金の周りに前記線材を前記コイルばね成形方向とは逆方向へ湾曲に成形する成形工具と、
第１のサーボモータによりコイルばね成形方向へ往復駆動されるとともに第２のサーボモータによりコイルばね成形方向に平行な軸まわりに回転駆動される押圧ツールとを基台前面に備え、
前記成形工具の前記線材との衝合点からの線材の送り出し方向前方で前記線材を押圧可能にかつ前記線材に沿って回動可能に前記押圧ツールを位置制御する制御部を設けたことを特徴とするコイルばね製造機。
【請求項２】
前記押圧ツールは、線材の送給軸に対して垂直に前記基台を貫通して設けられた貫通穴に、前後方向へ移動可能かつ前記貫通穴周りに回転可能に支持された押圧ツール軸の前方端に取り付けられたことを特徴とする請求項１に記載のコイルばね製造機。
【請求項３】
前記押圧ツール軸には同軸に第１の平歯車を取り付け、前記第１の平歯車と軸方向に相対移動可能に噛み合う第２の平歯車を出力軸に取付けた第２のサーボモータを前記基台に取り付けて、前記第２のサーボモータで前記押圧ツール軸を回転駆動するようにしたことを特徴とする請求項２に記載のコイルばね製造機。
【請求項４】
前記押圧ツール軸には、前記押圧ツール軸とはその軸方向の相対移動が規制されかつ前記押圧ツール軸を回転自在に支持する連結板が設けられ、前記連結板には、前記連結板を前記押圧ツール軸の軸方向に往復駆動する前記第１のサーボモータが連結されていることを特徴とする請求項２乃至３に記載のコイルばね製造機。
【請求項５】
前記第１のサーボモータの出力軸には、一端が前記連結板に回動可能に取り付けられたコネクティングロッドの他端を偏心位置に回転可能に取り付けの偏心板が取り付けられ、前記第１のサーボモータの回転により前記偏心板と前記コネクティングロッドを介して、前記連結板を前記押圧ツール軸とともに軸方向に往復動するようにしたことを特徴とする請求項２乃至４に記載のコイルばね製造機。
【請求項６】
前記押圧ツール軸は前記線材ガイドの中心線に対して対称位置に対で設けられ、
前記第２のサーボモータ及び前記第１のサーボモータは前記各の押圧ツール軸を同時に回転駆動又は往復動可能であることを特徴とする請求項３乃至５に記載のコイルばね製造機。
【請求項７】
線材ガイドから成形領域へ送り出される線材を成形工具に衝合させてコイルばねを成形するコイルばね製造方法であって、
前記線材ガイドから前記成形領域に向かって送り出した前記線材に前記線材ガイドの線材出口位置より前方かつコイルばね成形方向寄りの位置に前記線材との衝合点を設けた前記成形工具を衝合し、心金の周りに沿って前記線材をコイルばね成形方向とは逆方向側へ湾曲に成形しながら、前記成形工具の前記線材送り出し前方方向近傍に待機の押圧ツールが前進し、前記コイルばね成形方向とは逆方向側へ湾曲に成形され送り出されてくる線材の先端部をコイルばね成形方向に押圧し平坦な座巻き部を成形可能な位置に位置決めする工程と、
前記線材を送り出しながら前記線材を平坦に成形しつつ前記押圧ツールを前記線材の送り出し方向に回動しかつコイルばね成形方向に前進して平坦部を成形可能な座巻き位置まで移動し前側の平坦な座巻き部を成形する工程と、
前記押圧ツールを前記座巻き位置からピッチ巻き位置まで前進したあと前記線材を所定量送り出し所定ピッチ及び所定長さのピッチ巻き部を成形する工程と、
前記押圧ツールを前記ピッチ巻き位置からコイルばね成形方向とは逆方向の座巻き位置に後退したあと前記線材を送り出し後側の平坦な座巻き部を成形する工程と、
カットツールが前記心金に向かって往復動し前記心金の切り刃と前記カットツールの切り刃との協働で前記成形されたコイルばねを前記線材から切り離す工程と、
前記押圧ツールをコイルばね成形方向とは逆方向側に移動するとともに前記成形工具からの前記線材の送り出し後方向へ回動し原位置へ復帰する工程とでなることを特徴とするコイルばね製造方法。
【発明の詳細な説明】
【技術分野】
【０００１】
本発明は、線材ガイドから前方へ送り出される線材を成形工具に衝合させてコイルばねを成形するコイルばね製造機に関し、詳しくは工具に衝合して湾曲される線材をコイルばねの成形方向に向かって押圧ツールで押し出すようにしたコイルばね製造機に関する。
【背景技術】
【０００２】
従来の技術として、例えば、特許文献１に開示のコイリングマシンは、線材の送り手段として上下に対向配置された１対のロールを備え、該各ロールの線材送り方向前方側に曲げダイスを配設すると共に、該曲げダイスと送り手段との間に、線材のガイド部材（本願の線材ガイドに相当）を設けている。曲げダイス（本願の成形ツールに相当）は、その線材当り面における線材当り位置を、ガイド部材における線材出口位置に対しコイルばね成形方向に偏位させ線材をコイルばね成形方向と逆方向に巻成すべく設置されている。またガイド部材と曲げダイスとの間で、該曲げダイスとの対向位置には、線材切断用の芯金（本願の心金の相当）を配設すると共に、曲げダイスの線材当り面に対しガイド部材側で、かつ、線材当り位置からの線材送り出し方向前方に位置する芯金の外側位置に、コイルばね成形方向と逆方向に巻成される線材を成形方向に押出すピッチツール（本願の押圧ツールに相当）を、線材に対し成形方向と逆方向に退去可能に設けている。
【０００３】
このコイリングマシンにおいて、線材はガイド部材に挿通された後、曲げダイスに押し当てられて成形されるが、このとき、線材は、曲げダイスの線材当り面におけるガイド部材の線材出口位置に対しコイルばね成形方向に偏位した位置にある線材当り位置に接して巻成されるので、線材はコイルばね成形方向と逆方向に巻成される。ピッチツールを、コイルばね成形方向にある程度突出させて、線材を成形方向に押しやると、成形方向と逆方向に初張力を有した線材はピッチゼロで巻成され、平坦部が成形される。更に、線材の巻成方向を、任意の位置で、かつ、成形方向のみならず逆方向にも自由に設定でき、この結果、前記ピッチツールの前記線材への段階的な一方向への押圧のみで長さ方向両端部に平坦面一な巻成平坦部をもつコイルばねを、従来よりも簡単な工程で安価に製作することができるというものである。
【０００４】
しかし、このコイリングマシンは、座巻き部を成形する場合、成形されたコイルばねが切り離されたあとの残りの線材は、更に線材送りされ曲げダイスに押し当てられて巻成されるとき、ピッチツールに押し出されるまでは、コイルばね成形方向と逆方向に巻成される。ピッチツールに押し出されたあとになって初めて平坦部が成形できるようになり、それまでのピッチツールに押し出される前の部分は、コイルばね成形方向と逆方向の螺旋状の曲がり部１０１ａを残したままである。そのためこの成形方向と逆方向の螺旋状の曲がり部１０１ａに続く平坦部１０１ｂを成形するとき、たとえば圧縮ばねの場合図２０に示すように、座巻き部１０１において、この曲がり部１０１ａとこれの続く平坦部１０１ｂの間に三日月状の隙間１０１ｃが生じることになる。
【０００５】
近年ばね精度が厳しく要求される場面が多々あるが、厳しい精度に対応するためには正確な形状のコイルばねを必要とする。そのため、例えば圧縮ばねにおいて、線材の座巻き部分に成形方向と逆方向の螺旋状の曲がりが残り、座巻き部に隙間１０１ｃが生じることによってばね座面が平坦にならない、その結果ばねの精度がでない等の問題があった。
【０００６】
また、特許文献２に開示のスプリング製造装置には、ポイントツール（本願の成形ツールに相当）の近傍に、螺旋状に巻かれていくワイヤ（本願の線材の相当）に当接してコイル部分のピッチを設定するピッチツール（本願の押圧ツールに相当）が設けられている。このピッチツールは、ピッチツール駆動モータによってスプリング成長方向に平行に移動可能及びスプリング成長方向（本願のコイルばね成形方向に相当）に平行な回転軸まわりに所定角度で回動可能になっており、ピッチツール駆動モータを制御することにより、所望のピッチを持つコイルスプリングが成形される。
【０００７】
しかしながら、特許文献２に開示のスプリング製造装置は、例えば圧縮ばねの成形において、線材をコイルばね成形方向と逆方向に螺旋状に成形するようにポイントツールの位置を設定した場合に座巻き部を成形するとき、コイルばね成形方向と逆方向に巻成された螺旋状の曲がりが残りそれの続く平坦部との間に隙間が生じ、ばね座面が平坦にならない。その結果ばねの精度がでない等の問題があった。
【特許文献１】特開平８−９９１４２号公報（段落００２０〜００２２、図１、図２）
【特許文献２】特開２００４−３３０２０９号公報（段落００２５及び図１）
【発明の開示】
【発明が解決しようとする課題】
【０００８】
本願が解決しようとする課題は、座巻き部を密着させるためまたピッチ巻き部のピッチ幅を安定させるために、コイルばね成形方向とは逆方向へ螺旋状に湾曲するように送られてきた線材を、ピッチツール（本願の押圧ツール）がコイルばね成形方向に押し出して平坦部を成形するとき、線材先端近傍に残されたコイルばね成形方向とは逆方向の螺旋状の曲がりにより次の平坦部との間に三日月状の隙間が生じ、その結果、圧縮ばねの座巻き部において、ばね座面が平坦にならない等の従来の問題を解決し、例えば圧縮ばねの座巻き部に隙間が生じないような精度よいコイルばねを成形可能にするコイルばね製造機及びコイルばね製造方法を提供するものである。
【課題を解決するための手段】
【０００９】
本発明の請求項１に記載のコイルばね製造機は、線材ガイドから成形領域へ送り出される線材を成形工具に衝合させてコイルばねを成形し切断ツールと前記心金との協働でコイルばねを線材から切り離すコイルばね製造機であって、線材ガイドから線材を成形領域に向かって送り出す線材送り出し手段と、線材ガイドから送り出された線材に、線材ガイドの線材出口位置よりコイルばね成形方向寄りの位置に設けた線材との衝合点で衝合し心金の周りに沿って線材をコイルばね成形方向とは逆方向へ湾曲に成形する成形工具と、第１のサーボモータによりコイルばね成形方向へ往復駆動されるとともに第２のサーボモータによりコイルばね成形方向に平行な軸まわりに回転駆動される押圧ツールとを基台前面に備え、成形工具の線材との衝合点からの線材の送り出し方向前方で線材を押圧可能にかつ線材に沿って回動可能に押圧ツールを位置制御する制御部を設けたことを最も主要な特徴とする。
【００１０】
本発明の請求項２に記載のコイルばね製造機は、請求項１に記載のコイルばね製造機において、押圧ツールは、線材の送給軸に対して垂直に基台を貫通して設けられた貫通穴に、前後方向へ移動可能かつ貫通穴周りに回転可能に支持された押圧ツール軸の前方端に取り付けられたことを特徴とする。
【００１１】
本発明の請求項３に記載のコイルばね製造機は、請求項２に記載のコイルばね製造機において、押圧ツール軸には同軸に第１の平歯車を取り付け、第１の平歯車と軸方向に相対移動可能に噛み合う第２の平歯車を出力軸に取付けた第２のサーボモータを基台に取り付けて、第２のサーボモータで押圧ツール軸を回転駆動するようにしたことを特徴とする。
【００１２】
本発明の請求項４に記載のコイルばね製造機は、請求項２乃至３に記載のコイルばね製造機において、押圧ツール軸には、押圧ツール軸とはその軸方向の相対移動が規制されかつ押圧ツール軸を回転自在に支持する連結板が設けられ、連結板には、連結板を押圧ツール軸の軸方向に往復駆動する第１のサーボモータが連結されていることを特徴とする。
【００１３】
本発明の請求項５に記載のコイルばね製造機は、請求項２乃至４に記載のコイルばね製造機において、第１のサーボモータの出力軸には、一端が連結板に回動可能に取り付けられたコネクティングロッドの他端を偏心位置に回転可能に取り付けの偏心板が取り付けられ、第１のサーボモータの回転により偏心板とコネクティングロッドを介して、連結板を押圧ツール軸とともに軸方向に往復動するようにしたことを特徴とする。
【００１４】
本発明の請求項６に記載のコイルばね製造機は、請求項３乃至５に記載のコイルばね製造機において、押圧ツール軸は線材ガイドの中心線に対して対称位置に対で設けられ、第２のサーボモータ及び第１のサーボモータは各の押圧ツール軸を同時に回転駆動又は往復動可能であることを特徴とする。
【００１５】
本発明の請求項７に記載のコイルばね製造方法は、線材ガイドから成形領域へ送り出される線材を成形工具に衝合させてコイルばねを成形するコイルばね製造方法であって、線材ガイドから成形領域に向かって送り出した線材に線材ガイドの線材出口位置より前方かつコイルばね成形方向寄りの位置に線材との衝合点を設けた成形工具を衝合し、心金の周りに沿って線材をコイルばね成形方向とは逆方向側へ湾曲に成形しながら、成形工具の線材送り出し前方方向近傍に待機の押圧ツールが前進し、コイルばね成形方向とは逆方向側へ湾曲に成形され送り出されてくる線材の先端部をコイルばね成形方向に押圧し平坦な座巻き部を成形可能な位置に位置決めする工程と、線材を送り出しながら線材を平坦に成形しつつ押圧ツールを線材の送り出し方向に回動しかつコイルばね成形方向に前進して平坦部を成形可能な座巻き位置まで移動し前側の平坦な座巻き部を成形する工程と、押圧ツールを座巻き位置からピッチ巻き位置まで前進したあと線材を所定量送り出し所定ピッチ及び所定長さのピッチ巻き部を成形する工程と、押圧ツールをピッチ巻き位置からコイルばね成形方向とは逆方向の座巻き位置に後退したあと線材を送り出し後側の平坦な座巻き部を成形する工程と、カットツールが心金に向かって往復動し心金の切り刃と前記カットツールの切り刃との協働で成形されたコイルばねを線材から切り離す工程と、押圧ツールをコイルばね成形方向とは逆方向側に移動するとともに成形工具からの線材の送り出し後方向へ回動し原位置へ復帰する工程とでなることを特徴とする。
【発明の効果】
【００１６】
本願請求項１及び７に記載の発明のコイルばね製造機又はコイルばね製造方法は、線材ガイドから成形領域へ送り出される線材を成形工具に衝合させてコイルばねを成形し、切断ツールと前記心金との協働で前記コイルばねを線材から切り離したあとに、次のコイルばねを成形するために、さらに線材ガイドから成形領域へ線材を送り、線材を成形工具に衝合し湾曲に成形して、成形工具から送り出されてきた線材の先頭部分を、線材送り出し前方方向の成形工具近傍に待機の押圧ツールで、コイルばね成形方向に押圧するとともに、線材の送り出し方向移動に伴い押圧ツールを線材に添わせながら回動する位置制御が可能となる。
【００１７】
また、密着した座巻き部を成形すためにコイルばね成形方向とは逆方向側に湾曲に成形され送り出されてきた線材の先頭部分を、成形工具の線材との衝合点からの線材の送り出し方向前方近傍で、押圧ツールでコイルばね成形方向に押圧することが可能となり、平坦な座巻き部を成形することができる。同時に、押圧ツールを成形工具から離れた位置に回動位置決め可能であるので、線材が成形工具に衝合する位置と押圧ツールが線材をコイルばね成形方向に押圧する位置との距離を大きくすることにより、成形工具の線材との衝合点を支点にして押圧される線材への押圧量が拡大される。その結果、コイルばね成形方向とは逆方向側に湾曲に成形され送り出されてきた線材のコイルばね成形方向への戻し量の調整幅が大きくなり、ピッチ巻部のピッチ幅をより精度よく調整することができる。そのため、座巻き部が平坦でピッチ部のピッチ幅が精度よいコイルばねを成形することができる。
【００１８】
本願請求項２記載の発明のコイルばね製造機は、押圧ツールが、基台を貫通して前後方向へ移動可能かつ貫通穴周りに回転に支持された押圧ツール軸の前方端に取り付けられているので、押圧ツールは前後方向への移動及び押圧ツール軸周りの回転ができる。押圧ツールで、コイルばね成形方向に押圧するとともに、線材の送り出し方向移動に伴い押圧ツールを線材に添わせながら回動する位置制御が可能となる。
【００１９】
本願請求項３記載の発明のコイルばね製造機は、押圧ツールがコイルばね成形方向へ移動するときも、第２のサーボモータにより押圧ツールを押圧ツール軸周りに回転制御することができる。その結果、押圧ツールを線材に添わせながら回動する位置制御が可能となる。
【００２０】
本願請求項４，５記載の発明のコイルばね製造機は、押圧ツールが押圧ツール軸周りに回転するときも、第１のサーボモータにより押圧ツールを押圧ツール軸の軸方向に往復動制御することができる。その結果、押圧ツールを線材に添わせながら回動する位置制御が可能となる。
【００２１】
本願請求項６記載の発明のコイルばね製造機は、第２のサーボモータ及び第１のサーボモータで各の押圧ツール軸を同時に回転駆動又は往復動可能であるので、いずれの押圧ツール軸に押圧ツールを取り付けても、１組の第１のサーボモータ及び第２のサーボモータで押圧ツールの前後動及び回動制御ができる。その結果、押圧ツールを線材に添わせながら回動する位置制御が可能となる。
【発明を実施するための最良の形態】
【００２２】
本発明のコイルばね製造機及びコイルばね製造方法の一実施形態を図１〜図１９を基に詳細に説明する。なお、以下の説明における上下左右方向とは、図１における上下左右方向をいうものとする。また、前方とは図１の紙面に対して表側をいうものとする。
【実施例１】
【００２３】
図１，２，３，４に示されるように、本実施形態に係るコイルばね製造機１０は、鉛直に起立した板状の前板１１Ａと、それと対峙して後方に設けた後板１１Ｂとを備えた基台１１に、線材送給装置２０、成形工具駆動装置３０ａ，３０ｂ、線材切断装置４０、押圧ツール駆動装置５０及び心金４２を組み付けてなる。以下、各部位について具体的に説明する。
【００２４】
線材送給装置２０には、コイルばねの材料である線材９０を上下方向で挟み込む対の送りローラ２１，２１が設けられている。そして、上下の送りローラ２１，２１を、送給される線材９０の軸（以下送給軸Ｌという）に対して対称に回転させることで、線材９０を成形空間Ｒに向けて送給したり、あるいは逆に引き戻すことができるようになっている。なお、送りローラ２１，２１は、図示されないサーボモータである送りローラ２１用モータによって駆動されるため、成形空間Ｒへの線材９０の送給量を制御することができる。
【００２５】
また、線材９０の送給路において、送りローラ２１，２１と成形空間Ｒの間には、線材ガイド１３が配設されている。この線材ガイド１３には、線材９０が挿通可能な案内路が成形されており、線材９０はこの案内路を経て成形空間Ｒに送給される。
【００２６】
成形工具駆動装置３０ａ，３０ｂは、線材９０の送給軸Ｌに対して対称に２台配設されている。一方の成形駆動装置３０ａは、基台１１の前板１１Ａ上に固定台３１ａを介して、線材９０の送給軸Ｌに対して斜め下方に配設され、他方の成形駆動装置３０ｂは、固定台３１ｂを介して、線材９０の送給軸Ｌに対して斜め上方に配設されている。
【００２７】
各固定台３１ａ，３１ｂ上には、スライダ３２ａ，３２ｂが成形空間Ｒ側に直線動作可能に係合し、成形空間Ｒの反対側にサーボモータである成形工具駆動用モータ３４ａ，３４ｂが備えられている。そして、スライダ３２ａ，３２ｂの成形空間Ｒ側には、送給される線材９０を成形するための成形工具３５ａ，３５ｂが備えられ、反対側はボールネジ機構部３３ａ，３３ｂにより成形工具駆動用モータ３４ａ，３４ｂと連結されている。
【００２８】
このように成形工具駆動装置３０ａ，３０ｂが構成されることで、成形工具３５ａ，３５ｂは、成形工具駆動用モータ３４ａ，３４ｂの駆動により、成形工具３５ａが成形空間Ｒに対して右側斜め下方から進退動作し、他方の成形工具３５ｂが成形空間Ｒに対して右側斜め上方から進退動作する。
【００２９】
押圧ツール駆動装置５０は、図４に示すように、基台１１の前板１１Ａから前方に線材ガイド１３を挟んで対称に突出して設けられた一対の押圧ツール軸５１、５１と、この一方の押圧ツール軸５１の先端に、押圧ツール取付ブロック１４Ａを介し成形空間Ｒに向かって取り付けられた押圧ツール１４と、後述のサーボモータの押圧ツール軸回転駆動モータ５４（本発明の第２のサーボモータ）と、サーボモータの押圧ツール軸前後動駆動モータ５９（本発明の第１のサーボモータ）とで構成される。押圧ツール軸５１、５１は、基台１１の前板１１Ａと後板１１Ｂとを貫通して対称に設けられた貫通穴１１ａ，１１ａに、軸受け１１ｂ、１１ｂを介して前後方向へ移動可能かつ前記貫通穴周りに回転可能に支持されて、線材９０の送給軸Ｌに対して垂直に設けられている。
【００３０】
押圧ツール軸５１、５１は後板１１Ｂの後側にも突出しており、その押圧ツール軸５１、５１の後端側にはそれぞれに平歯車５２、５２が固定して取り付けられている。この平歯車５２、５２の双方に噛み合う幅広平歯車５３が、後板１１Ｂ後方にブラケット５４Ａを介して取り付けられた押圧ツール軸回転駆動モータ５４に、減速機５４Ｂを介して取り付けられている。幅広平歯車５３は平歯車５２、５２の双方と噛み合うとともに平歯車５２、５２とは軸方向に相対移動可能となっている。
【００３１】
押圧ツール軸５１、５１の中間位置には、押圧ツール軸５１、５１を軸方向へ相対移動不可能にかつ回転自在に支持する連結板５６が、押圧ツール軸５１、５１を跨いで取り付けられている。この連結板５６の押圧ツール軸５１、５１に挟まれた中間位置部分には、ピン５５を支点に回転自在にコネクティングロッド５７の一端が取り付けられている。コネクティングロッド５７の他端は、後述の押圧ツール軸前後動駆動モータ５９に減速機５９Ａを介して取り付けられた偏心板５８の偏心位置に設けた突出円柱部５８Ａに、回転自在に取り付けられている。押圧ツール軸前後動駆動モータ５９とその出力側に取り付けられた減速機５９Ａは、その軸を押圧ツール軸５１、５１に直角方向にして、ブラケット５９Ｂを介して後板１１Ｂに取り付けられている。
【００３２】
押圧ツール駆動装置５０はこのような構成でなっており、押圧ツール軸回転駆動モータ５９の回転制御により、押圧ツール軸５１、５１の回転方向位置が制御され、押圧ツール軸前後動駆動モータ５９の回転制御により、押圧ツール軸５１、５１の前後方向位置が制御される。なお、押圧ツール１４は、右巻きばねの場合は上側の押圧ツール軸５１に、左巻きの場合は下側の押圧ツール軸５１に取り付けられる。これら回転方向位置と前後方向位置の制御により、押圧ツール１４は前後方向への位置と押圧ツール軸５１を中心とする回転方向位置の制御が可能となっている。
【００３３】
線材切断装置４０は、心金４２の上方に基台１１の前板１１Ａに取り付けられている。前板１１Ａの後方に向かって、切断工具４７の駆動源である切断工具駆動用サーボモータ４１が減速機を介して取り付けられている。減速機の出力軸には前後方向の中心軸を有する偏心円板４２が取り付けられ、この偏心円板４２の中心から偏心した位置には、前方に向かって断面円形状の偏心支柱４２Ａが立設されている。
【００３４】
一方、基台１１前面には、直動ガイドレール４３が図示されないボルトによって固定されている。直動ガイドレール４３は、上下方向に延びて設けられており、この直動ガイドレール４３上には、スライダ４５が成形空間Ｒに対して進退移動可能に設けられている。このスライダ４５には、成形空間Ｒ側の端部に角柱状をなした切断工具４７が長手方向を成形空間Ｒに向けて固定されている。
【００３５】
また、スライダ４５には、偏心支柱４２Ａと平行に略中央から支持ピン４５Ａが起立している。この支持ピン４５Ａは、リンク部材４６を介して偏心支柱４２Ａと連結されている。リンク部材４６は、両端部に貫通孔４６Ａ，４６Ｂが成形されており、それぞれ軸受を介して、一方の貫通孔４６Ａには偏心支柱４２Ａが嵌合され、他方の貫通孔４６Ｂには支持ピン４５Ａが嵌合されている。
【００３６】
この偏心支柱４２Ａ、リンク部材４６、スライダ４５等によって、クランク機構部が構成され、切断工具駆動用モータ４１の回転動作が切断工具４７の直線動作に変換される。そして、スライダ４５の進退動作と共に切断工具４７も成形空間Ｒに向かって進退動作することとなる。これにより、所定形状のコイルばねが成形された後、切断工具４７が成形空間Ｒ側に進入した時に、切断工具４７のエッジと心金工具４２のエッジとの間で線材９０が切断され、コイルばねが後続の線材９０から切り離されることとなる。
【００３７】
図８は、コイルばね製造機１０の電気的な構成図である。前述したように、送りローラ２１、成形工具３５ａ，３５ｂ、切断工具４７、及び押圧ツール１４は、それぞれ送りローラ２１用モータ、成形工具駆動用モータ３４ａ，３４ｂ、切断工具駆動用モータ４１、押圧ツール軸回転駆動モータ５４、及び押圧ツール軸前後動駆動モータ５９を駆動源として動作する。これらのモータのサーボアンプ８０Ａ，８０Ｂ，８０Ｃ，８０Ｄ，８０Ｅ，８０Ｆがメイン制御回路８５と共に制御盤８７に収納されている。メイン制御回路８５には、ディスプレイ８８およびキーボード８９が接続されている。
【００３８】
作動シーケンスプログラムが保存されたメイン制御回路８５は、図示されない各種センサー等からの入力信号を得て、上記サーボアンプ８０Ａ，８０Ｂ，８０Ｃ，８０Ｄ，８０Ｅ，８０Ｆに作動指令を出す。この指令を元にサーボアンプ８０Ａ，８０Ｂ，８０Ｃ，８０Ｄ，８０Ｅ，８０Ｆは、送りローラ２１用モータ、成形工具駆動用モータ３４ａ，３４ｂ、切断工具駆動用モータ４１、押圧ツール軸回転駆動モータ５４、及び押圧ツール軸前後動駆動モータ５９に駆動電力を供給する。ディスプレイ８８は、現在のコイルばね生産数や、生産しているコイルばねの種別等を表示する。また、キーボード８９を操作することによって、コイルばね製造機１０の生産スタートおよび停止、手動／自動運転の切替、目標生産数の入力や、生産するコイルばねの形状、長さ等の種別に応じて制御プログラムをメイン制御回路に入力、保存することが可能となっている。
【００３９】
以下、このように構成されるコイルばね製造機１０の動作について説明する。
成形されるコイルばねの線材径、外径に合わせて前もって段取り替えにより、送りローラ２１，２１、線材ガイド１３、成形工具３５ａ，３５ｂ、心金４２、切断工具４７及び押圧ツール１４が選択され、又はその位置が位置決めされている。図１の場合は、右巻きのコイルばねを成形する場合のレイアウトとなっており、以下右巻きのコイルばねの成形の場合について説明する。左巻きのコイルばねの場合は、成形工具３５ａ，３５ｂ、心金４２、及び押圧ツール１４を、線材９０の送給軸Ｌに対して対称な位置に段取り替えする必要がある。
【００４０】
コイルばね製造機１０が起動すると、送りローラ２１用モータの駆動により、線材９０を挟持した送りローラ２１，２１が対称方向へ回転し、線材９０が図１の右方向成形空間Ｒへ向かって送り出される。送り出された線材９０は、成形工具３５ａ，３５ｂに順次衝合し、線材９０の送給軸Ｌの上側へ心金４２周りを湾曲し、設定された外径のコイルばねが成形される。コイルばねの外径の設定は、成形工具駆動用モータ３４ａ，３４ｂの駆動により、成形工具３５ａ，３５ｂを成形空間Ｒに向かって進退することによって行われる。
【００４１】
成形工具３５ａ，３５ｂは、座巻き部を密着させるため、またピッチ巻き部のピッチ幅を安定させるために、線材ガイド１３と成形工具３５ａ，３５ｂとの位置関係は、その線材当り面における線材当り位置（衝合点）を、線材ガイド１３における線材出口位置に対しコイルばね成形方向に偏位させ、線材をコイルばね成形方向と逆方向に成形すべく設置されている。そのため、線材ガイドから送り出された線材は、これらの線材当り位置に順次衝合し線材をコイルばね成形方向とは逆方向へ螺旋状に湾曲する。押圧ツール１４は成形工具３５ｂに衝合したあとの線材送り出し方向前方のうち成形工具３５ｂ近傍に待機している。
【００４２】
図５，６，７は、成形空間Ｒ近傍の拡大斜視図である。線材ガイド１３から送り出される線材９０は、成形工具３５ａ，３５ｂに衝合し螺旋状に成形される。図５は、押圧ツール１４が前後方向の後ろ側端、及び押圧ツール軸５１を中心に反時計方向側の初期設定位置にあるときを示す。図６は、押圧ツール１４が、押圧ツール軸５１を中心にした回転方向はそのままで、前後方向へ所定量前進し、送られてきた線材９０に押圧し線材９０を平坦な螺旋状に成形可能な位置にあるとき示す。図７は、押圧ツール１４が前後方向へ更に所定量前進し、かつ押圧ツール軸５１を中心に所定量時計方向に回動し、所定ピッチのコイルを成形可能なピッチ巻き位置にあるにあるときを示す。
【００４３】
図５，６、７に示すように、角柱状の各成形工具３５ａ，３５ｂの先端面には、螺旋状に成形される線材に沿うように線材摺接溝３９ａ，３９ｂが形成されている。そして、成形空間Ｒに送給された線材９０が、各成形工具３５ａ，３５ｂの線材摺接溝３９ａ，３９ｂの内面に押しつけられ円弧状に塑性変形されコイルばねが成形される。図５において、押圧ツール１４は線材９０と接触しない位置に後退しており、この状態で線材９０が成形空間Ｒに送給されると、線材９０は線材摺接溝３９ａ，３９ｂの内面に押しつけられ、２点鎖線で示す線材９０ａ’のように、コイルばね成形方向とは逆方向へ螺旋状に湾曲して成形される。
【００４４】
前のサイクルで成形されたコイルばねが切断されると、残された線材９０は、図５において９０ａで示すように、成形工具３５ａ，３５ｂに衝合した状態で残っている。このとき、残された線材９０の先頭部は、後述のように前のサイクルにおいて、コイルばねの後ろ側の座巻き部が平坦になるよう成形された平坦部の一部であるため、成形工具３５ｂの衝合点から線材先端９０ａまでは平坦な螺旋状になっている（図５）。またこのとき、押圧ツール１４は線材９０と接触しない位置に後退している。
【００４５】
線材９０が送り出され線材９０の先頭部分９０ａが成形工具３５ｂ近傍で待機の押圧ツール１４の位置に来たとき、押圧ツール軸前後動駆動モータ５９の制御により押圧ツール１４をコイルばね成形方向に変位させ、また線材９０の成形工具３５ｂの衝合点からの送り出し方向移動に同期して、押圧ツール軸前後動駆動モータ５９の制御により押圧ツール１４をコイルばね成形方向に変位させながら、押圧ツール軸回転駆動モータ５４により押圧ツール１４をコイルばね成形方向に平行な押圧ツール軸５１まわりに回動し、押圧ツール１４を図７に示す座巻き位置まで移動することにより、押圧ツール１４が線材９０の先頭部９０ａをコイルばね成形方向に押圧しながら、線材９０に添うように移動する。その結果、コイルばね成形方向とは逆方向へ螺旋状に湾曲して成形されるように送られてきた線材は、押圧ツール１４により、その先頭部９０ａがコイルばね成形方向に押圧されて押し戻され、線材の送り出しに伴い、線材９０はコイルばね成形方向に直角な平坦な面になるよう成形され、図１９に示すコイルばねの平坦部９１ｂの一部を成形する（図７）。そのあと座巻き位置に位置決めされた押圧ツール１４が送り出されてくる線材９０を押圧し、残りの平坦部９１ｂが成形され前側の座巻き部９１ａが成形される。そのあと、押圧ツール軸前後動駆動モータ５９の制御により押圧ツール１４をコイルばね成形方向に変位させ、所定ピッチのピッチ部９１ｃを成形可能なピッチ巻き位置まで移動する。
【００４６】
または、次のようにして座巻き部９１ａを成形するようにしてもよい。線材９０が送り出され線材９０の先頭部分９０ａが成形工具３５ｂ近傍で待機の押圧ツール１４の位置に来たとき、押圧ツール軸前後動駆動モータ５９の制御により、押圧ツール１４が所定量前進し、その先頭部分がコイルばね成形方向に押圧される。その結果、コイルばね成形方向とは逆方向へ螺旋状に湾曲して成形されるように送られてきた線材は、押圧ツール１４により、その先頭部９０ａがコイルばね成形方向に押圧されて押し戻され、続く線材の送り出しに伴い、線材９０はコイルばね成形方向に直角な平坦な面になるよう成形され、図１９に示すコイルばねの前側の座巻き部の平坦部９１ｂが成形される（図６）。更に続く線材の送り出しに伴い前側の座巻き部９１ａを成形する。そのあと、押圧ツール軸前後動駆動モータ５９の制御により押圧ツール１４をコイルばね成形方向に変位させながら、押圧ツール軸回転駆動モータ５４により押圧ツール１４をコイルばね成形方向に平行な押圧ツール軸５１まわりに回動して、押圧ツール１４を所定ピッチのピッチ部９１ｃを成形可能なピッチ巻き位置まで移動するようにしてもよい。
【００４７】
そして、押圧ツール１４がピッチ巻き位置に移動したあと、押圧ツール１４により線材９０を押圧した状態で線材９０を送り出し、所定ピッチのピッチ巻部９１ｃが成形される。ピッチ巻部９１ｃが成形されると、線材９０を送り出ししながら、押圧ツール軸前後動駆動モータ５９の制御により押圧ツール１４をコイルばね成形方向と反対側に変位させ、座巻き位置に位置決めする。押圧ツール１４がこの座巻き位置にある状態で更に線材９０を送り出し後側の座巻き部９１ｄを平坦に成形する。
【００４８】
コイルばねの直径は、成形工具駆動用モータ３４ａ，３４ｂを駆動し、成形工具３５ａ，３５ｂを成形空間Ｒに対して進退移動させることで調節することができる。
【００４９】
後側の座巻き部９１ｄが成形されると、上側で待機していた切断工具４７が下降し、その切り刃と心金４２の切り刃とでコイルばねが線材９０から切り離される。このとき、残された線材９０の先頭部９０ａは、コイルばねの後ろ側の座巻き部が平坦になるよう成形された平坦部の一部であるため、成形工具３５ｂの衝合点から線材先端９０ａまでは平坦な螺旋状になっている（図５）。
【００５０】
以下、このように構成されるコイルばね製造機１０を用いたコイルばねの製造方法の一例について工程説明用の図９乃至１８及びコイルばね外観図１９をもとに具体的に説明する。各図の（ａ）は平面図、（ｂ）は正面図である。
【００５１】
前のサイクルで成形されコイルばねが、切断工具４７と心金４２とにより線材９０から切り離され切断されると、切断工具４７が後退位置に上昇し、線材ガイド１３から繰り出され線材は、成形工具３５ａ，３５ｂと衝合し湾曲した状態で心金４２の周りに残っている。押圧ツール１４は成形工具３５ｂの衝合後の繰り出し方向近傍の待機位置に待機している。このとき押圧ツール１４の軸心と送給軸Ｌとのなす角はα１である。このとき線材９０は、心金４２の周りに沿って平坦に湾曲し、成形工具３５ｂの衝合点から線材先端９０ａまでは平坦な螺旋状になっている（図９、図５）。
【００５２】
この状態で送りローラ２１用モータの駆動により成形工具３５ａ，３５ｂに順次衝合しながら、線材９０を送り出し、線材９０の先頭部９０ａが押圧ツール１４の前面にさしかかると、押圧ツール１４を所定量前方へ移動する動作にかかる（図１０）。押圧ツール１４は座巻き部を平坦に成形可能な位置に位置決めされ、なおかつ、線材９０を送り出す。線材９０は、スプリングバック後に平坦になるように、線材９０の送り出し方向に湾曲に成形されながら送り出される（図１１）。この線材９０の送り出し方向移動に同期して、押圧ツール１４を押圧ツール軸前後動駆動モータ５９の制御によりコイルばね成形方向に変位させながら、押圧ツール軸回転駆動モータ５４により押圧ツール１４をコイルばね成形方向に平行な軸まわりに回動し、押圧ツール１４を座巻き位置に移動する。この移動のとき、押圧ツール１４が線材９０の先頭部９０ａをコイルばね成形方向に押圧しながら、線材９０に添うように移動し、コイルばねの平坦部９０ｂの一部を成形する。この移動により押圧ツール１４の軸心と送給軸Ｌとのなす角はα２となる。（図１２、図７）。
【００５３】
そのあと座巻き位置の押圧ツール１４が送り出されてくる線材９０を押圧し、残りの平坦部９０ｂが成形され前側の座巻き部９１ａが成形される（図１３）。そのあと、押圧ツール軸前後動駆動モータ５９の制御により押圧ツール１４をコイルばね成形方向に変位させ、所定ピッチのピッチ部９１ｃを成形可能なピッチ巻き位置まで移動する（図１４）。ピッチ巻き位置に移動した押圧ツール１４により線材９０を押圧した状態で線材９０を送り出し、所定ピッチのピッチ巻部９１ｃが成形される（図１５）。ピッチ巻部９１ｃが成形されると、線材９０を送り出ししながら、押圧ツール軸前後動駆動モータ５９の制御により押圧ツール１４をコイルばね成形方向と反対側に変位させる（図１６）。押圧ツール１４がこの座巻き位置にある状態で更に線材９０を送り出し後側の座巻き部９１ｄを成形する（図１６）。後側の座巻き部９１ｄが成形されると、上側で待機していた切断工具４７が下降し、その切り刃と心金４２の切り刃とでコイルばね９１が線材９０から切り離される（図１７）。切断工具４７が後退位置に上昇し、線材ガイド１３から繰り出され線材は、成形工具３５ａ，３５ｂと衝合し湾曲した状態で心金４２の周りに残る（図１８）。押圧ツール１４は成形工具３５ｂの衝合点からの繰り出し方向近傍の待機位置に待機する（図９）。
【００５４】
このように、押圧ツール１４の前後方向への位置決め、及びコイルばね成形方向に平行な押圧ツール軸５１まわりの回動位置決め制御により、押圧ツール１４を成形工具の近傍に位置決めし、密着した座巻き部を成形するため及び安定したピッチ幅を得るためにコイルばね成形方向とは逆方向側に湾曲に成形され送り出されてきた線材９０の先頭部分９０ａを、押圧ツール１４でコイルばね成形方向に押圧することにより、成形工具３５ｂの線材との衝合点からあとに成形され送り出される部分の線材を、初めから平坦な座巻き部に成形することができ、圧縮ばねの座巻き部に隙間が生じない精度のよいコイルばねを成形することができる。２個目のコイルばね成形以降は、前のサイクルで成形されたコイルばねの後ろ側の座巻き部９１ｄの成形の際に、すでに、成形工具の線材との衝合点から線材の先頭部分９０ａまでは平坦に成形されている。そのため、２個目のコイルばね成形以降は両端の座巻き部を平坦に成形することができる。
【００５５】
また、同時に、押圧ツール１４を成形工具３５ｂから離れた位置に回動することにより、線材９０が成形工具３５ｂに衝合する位置と押圧ツール１４が線材９０をコイルばね成形方向に押圧する位置との距離を大きくすることができ、成形工具３５ｂの線材９０との衝合点を支点にして押圧される線材９０への押圧量が拡大される。その結果、コイルばね成形方向とは逆方向側に湾曲に成形され送り出されてきた線材９０のコイルばね成形方向への戻し量の調整幅が大きくなり、ピッチ巻部９１ｃのピッチ幅をより精度よく調整することができる。
そのため、ピッチ部のピッチ幅が精度よいコイルばねを成形することができる効果がある。
【００５６】
［他の実施形態］
本実施例では、線材９０の先頭部９０ａが押圧ツール１４の前面にさしかかると、押圧ツール１４を所定量前方へ移動し座巻き部を平坦に成形可能な位置に位置決めし、線材９０の送り出し方向移動に同期して、押圧ツール１４を座巻き位置に移動しながら、コイルばねの平坦部９０ｂの一部を成形したあと、座巻き位置の押圧ツール１４が送り出されてくる線材９０を押圧し、残りの平坦部９０ｂが成形され前側の座巻き部９１ａが成形されるようにしたが、押圧ツール１４が座巻き部を平坦に成形可能な位置のままで座巻き部９１ａを成形したあと、押圧ツール１４をピッチ巻き位置に移動し、ピッチ部９１ｃを成形するようにしてもよい。
【００５７】
本実施例では、線材ガイド１３から前記成形領域Ｒに向かって送り出した線材９０に線材ガイド１３の線材出口位置より前方かつコイルばね成形方向寄りの位置に線材９０との衝合点を設けた成形工具３５ａ，３５ｂを衝合し、心金４２の周りに沿って線材９０をコイルばね成形方向とは逆方向側へ湾曲に成形するようにしたが、成形工具３５ａ，３５ｂに成形された線材摺接溝３９ａ，３９ｂの傾きを変えることによって、線材をコイルばね成形方向とは逆方向側へ湾曲に成形するようにしてもよい。
なお、本発明に係るコイルばね製造機及びコイルばね製造方法は、上述した実施例の形態に何ら限定されるものではなく、本発明の要旨を逸脱しない範囲において、さまざまな形態に構成することができる。
【図面の簡単な説明】
【００５８】
【図１】本発明のコイルばね製造機の正面図
【図２】図１のＡ−Ａ断面図
【図３】図２のＢ矢視図
【図４】成形空間Ｒ近傍図
【図５】成形空間Ｒ近傍の拡大斜視図
【図６】成形空間Ｒ近傍の拡大斜視図
【図７】成形空間Ｒ近傍の拡大斜視図
【図８】電気的な構成図
【図９】動作説明図
【図１０】動作説明図
【図１１】動作説明図
【図１２】動作説明図
【図１３】動作説明図
【図１４】動作説明図
【図１５】動作説明図
【図１６】動作説明図
【図１７】動作説明図
【図１８】動作説明図
【図１９】実施例によるコイルばね外観図
【図２０】従来技術によるコイルばね外観図
【符号の説明】
【００５９】
１０    コイルばね製造機
１１    基台
１３    線材ガイド
１４    押圧ツール
２０    線材送給装置
２１，２１    送りローラ
３０ａ，３０ｂ    成形工具駆動装置
３４ａ，３４ｂ    成形工具駆動用モータ
３５ａ，３５ｂ    成形工具
４０    線材切断装置
４１    切断工具駆動用モータ
４２    心金
４７    切断工具
５０    押圧ツール駆動装置
５１、５１    押圧ツール軸
５４    押圧ツール軸回転駆動モータ（第２のサーボモータ）
５９    押圧ツール軸前後動駆動モータ（第１のサーボモータ）
９０    線材
Ｒ    成形空間
【図１】
0004913703.tif 000002
【図２】
0004913703.tif 000003
【図３】
0004913703.tif 000004
【図４】
0004913703.tif 000005
【図５】
0004913703.tif 000006
【図６】
0004913703.tif 000007
【図７】
0004913703.tif 000008
【図８】
0004913703.tif 000009
【図９】
0004913703.tif 000010
【図１０】
0004913703.tif 000011
【図１１】
0004913703.tif 000012
【図１２】
0004913703.tif 000013
【図１３】
0004913703.tif 000014
【図１４】
0004913703.tif 000015
【図１５】
0004913703.tif 000016
【図１６】
0004913703.tif 000017
【図１７】
0004913703.tif 000018
【図１８】
0004913703.tif 000019
【図１９】
0004913703.tif 000020
【図２０】
0004913703.tif 000021